(57)【特許請求の範囲】
【請求項１】
テープロールを回転可能に保持するテープ回転部と、前記テープロールから引き出されたテープを被接着面に押圧するための押圧ローラと、前記テープを切断する切断刃と、を備えるテープカッタにおいて、
切断刃と押圧ローラの間に設けられたガイド穴と、
ガイド穴の中を前記テープが引き出される方向である前方とその逆方向である後方に移動可能に、かつ、前方方向に付勢されるように設けられ、前方端に、テープロール側に突出する爪を有するスライダと、
を備え、
前記スライダの前記前方端が対象物に押しつけられることにより後方に後退する際に、前記爪によりテープ前方端がスライダと押圧ローラの間に引き込まれ、粘着面を内側にした折返し部が形成されるとともに、テープが前記切断刃により切断された後は、前記スライダが前記ガイド穴から前方に突出し、弾性によりスライダ側に跳ね上がるテープの前方端を前記爪により保持する
ことを特徴とする折返し機能付テープカッタ。
【請求項２】
前記スライダが自重により付勢されるようになっている、請求項１に記載の折返し機能付テープカッタ。
【請求項３】
前記スライダがバネにより付勢されるようになっている、請求項１に記載の折返し機能付テープカッタ。
【請求項４】
上記引き込み過程の際にテープを仮止めする仮止め部を有する、請求項１〜３のいずれかに記載の折返し機能付テープカッタ。
【請求項５】
スライダの前記テープロール側の面又はその反対側の面に、ガイド穴を移動する際のスライダの上下の動きを調節するためのリブが設けられている、請求項１〜４のいずれかに記載の折返し機能付テープカッタ。
【発明の詳細な説明】
【技術分野】
【０００１】
本発明は、梱包等の際に用いられる粘着テープ用のテープカッタに関する。
【背景技術】
【０００２】
従来から、輸送物品の梱包等には、ＯＰＰテープやビニールテープ、布テープ、クラフトテープ等の粘着テープ（以下、テープという）が用いられている。それらのテープを切断するためのテープカッタには、繰り出したテープをローラで押圧しながら貼り付けられるものや、テープの切断が素早くできるもの等、手早く貼付するための工夫のなされたものがある。
【０００３】
しかし、梱包の際にテープがしっかりと貼付されると、剥がすことが容易でないため、梱包物をしっかりと封じることができる反面、開梱の際にも手間がかかっていた。ＯＰＰテープのように厚みのないものは特に剥がしにくいため、カッタ等の刃物で切り込まないと開梱が難しいこともあるが、中身を傷つけるおそれがあり好ましい方法ではない。
【０００４】
いったん貼付されたテープを剥がしやすくする工夫として、テープに粘着性のない折返し部を形成することが考えられる。開梱の際にはその部分がテープを剥離するためのつまみとなり、手早くテープを剥がすことができるためである。そこで、近年はテープに折返し部を形成するテープカッタが種々考案されている。
【０００５】
すでに実用化されているものには、繰り出される際にテープの一方の長手側の縁が折り返され、粘着面が重ね合わされることによって折返し部が形成されるものがある。しかし、限られたテープ幅のなかで粘着部を確保しようとすると、折返し部の幅は狭くならざるをえない。剥離する際には、テープを指でしっかりと挟むためにその折返し部を爪等で起こす必要があることから、剥がしやすさが充分に考慮されているとは言えない。
【０００６】
一方、特許文献１には、テープ端部に折返し部を形成するテープカッタが開示されている。これは、テープを切断すると、テープ端部に突針が刺さり、レバー操作によるローラの回転で、突針の刺さった部分のテープがローラとテープ受けの間に引き込まれて二つ折りされ、さらに突条が加圧することで粘着面同士が接着した二つ折り部を形成するというものである。しかし、この発明においては、折返し部形成のためにレバー操作という特別な動作が必要であり、操作性の点で検討の余地が残されている。
【０００７】
【特許文献１】特開2000-289918号公報
【発明の開示】
【発明が解決しようとする課題】
【０００８】
本発明が解決しようとする課題は、テープを貼付する一連の動作のなかで、テープ端部に剥離用つまみとなる折返し部を簡単に形成することができるテープカッタを提供することである。
【課題を解決するための手段】
【０００９】
上記課題を解決するために成された本発明は、テープロールを回転可能に保持するテープ回転部と、前記テープロールから引き出されたテープを被接着面に押圧するための押圧ローラと、前記テープを切断する切断刃と、を備えるテープカッタにおいて、
切断刃と押圧ローラの間に設けられたガイド穴と、
ガイド穴の中を前記テープが引き出される方向である前方とその逆方向である後方に移動可能に、かつ、前方方向に付勢されるように設けられ、前方端に、テープロール側に突出する爪を有するスライダと、
を備え、
前記スライダの前記前方端が対象物に押しつけられることにより後方に後退する際に、前記爪によりテープ前方端がスライダと押圧ローラの間に引き込まれ、粘着面を内側にした折返し部が形成されるとともに、テープが前記切断刃により切断された後は、前記スライダが前記ガイド穴から前方に突出し、弾性によりスライダ側に跳ね上がるテープの前方端を前記爪により保持する
ことを特徴とする折返し機能付テープカッタである。
なお、上記及び以下の説明においては、テープロールの中心へ向かう方向を下、その逆の方向を上、テープの幅方向を左右方向、テープが引き出される方向を前、その逆の方向を後と規定する。
【発明の効果】
【００１０】
本発明に係る折返し機能付テープカッタでは、テープを被接着面に貼付する際に、後述の手順で、テープの先端に粘着面を内側にした折返し部が自動的に形成される。従って、テープ貼付の一連の動作の中で、格別の動作を行うことなく、テープ端部に両面とも粘着性のない折返し部を形成することができる。これにより、剥離用つまみを確実に形成しながらテープ貼付を連続的に行えるため、梱包等の作業を手早く行うことができる。
【発明を実施するための最良の形態】
【００１１】
本発明に係るテープカッタは、従来より広く用いられている、テープを回転可能に保持するテープ回転部と、テープを被接着面に押圧するための押圧ローラと、テープを切断する切断刃と、を備えるテープカッタを改良することにより製作することができる。
【００１２】
まず、その切断刃と押圧ローラの間にガイド穴を設ける。従来のテープカッタでは、押圧ローラや切断刃は、テープ回転部と一体に設けられた側板に固定される（押圧ローラは、その軸が側板に固定される）のが一般的である。本発明に係るテープカッタのガイド穴も、その側板に固定することができる。
【００１３】
ガイド穴の中に、前後に移動可能なスライダを挿入する。スライダの先端には、下方に突出する爪を設ける。常態では、スライダが前方に出ており、その先端から下方に突出する爪により、テープの先端を軽く保持している。
【００１４】
テープを被接着面に貼付する際、本テープカッタを被接着面に近づけると、スライダはその先端が被接着面により押されてガイド穴を後退してゆく。その際、爪により保持されたテープの先端も後退してゆき、スライダと押圧ローラの間に引き込まれ、粘着面を内側にした折返し部が形成される。
【００１５】
この過程でテープの先端がより確実にスライダと押圧ローラの間に引き込まれるよう、テープが動かないようにしておくことが望ましい。通常、テープ回転部に保持されたテープロールは使用者により（直接的に、又は後述のようにテープ把持部により間接的に）把持されているため、引き出されたテープも動くことはないが、テープ自体の剛性が低い場合には、引き出された部分においてテープがたわみ、爪から外れたりスライダと押圧ローラの間に正しく折り込まれない場合も生じ得る。そのような場合には、押圧ローラの近くにテープを仮止めするための仮止め部を設けることが望ましい。
【００１６】
スライダが移動する間にテープが爪から外れることを防止し、また、スライダと押圧ローラの間に正しく折り込まれるようにするために、更に、スライダの上下の動きを微妙に制御することも可能である。これは、スライダの上面又は下面に、長手方向の一部において突出するリブを設けることにより実現することができる。このリブは、スライダがガイド穴内を移動する際にガイド穴の内面と当接して、スライダの上下方向の動きを変化させる。従って、リブの形状（プロフィル）を適宜設定することにより、スライダの上下の動きを制御し、テープが爪から外れることを防止し、また、スライダと押圧ローラの間に正しく折り込まれるようにすることができる。
【実施例】
【００１７】
以下、図面を用いて、本発明に係るテープカッタの一実施例を説明する。図１は本実施例のテープカッタ１０の折返し部形成時の状態を示す図、図２は非貼付時の状態を示す図である。本実施例のテープカッタ１０は、テープ１１を回転可能に保持するテープ回転部１２と、テープ回転部の一方の側面に固定され、一方向に突出するように設けられた側板１３と、側板１３の先端にテープ回転部から所定距離だけ離れて設けられたテープ折返し部１４と、テープ折返し部１４の更に上に設けられた切断刃１５と、側板１３から後方に、テープ回転部１２の一部を覆うように、かつ、側板１３に対して回動可能に設けられたテープ把持部１６、等から成る。
【００１８】
テープ折返し部１４は、切断刃１５の直下に設けられたガイド穴１７と、ガイド穴の中を前後に移動可能に設けられたスライダ１８と、ガイド穴１７の下方やや前方に設けられた押圧ローラ１９から成る。スライダ１８の先端には下方に突出する爪２０が設けられ、上面には長手方向に延びる、長手方向の一部において上面から突出したリブ２１が設けられている。図３に、スライダ１８の側面図を示す。
【００１９】
テープ把持部１６は、このテープカッタ１０を使用する者がテープ回転部１２との間でテープ１１を回転可能に把持するためのものである。その側板１３とは反対側の端縁には下方に突出する立縁が設けられ、テープ把持部１６とテープ回転部１２でテープ１１を挟んだときにテープ１１が左右に逃げないようになっている。また、テープ把持部１６の下面には、テープ１１の回転に対する抵抗を低減するための滑り部材（図示せず）が貼付されている。
【００２０】
押圧ローラ１９の下方やや前方には、Ｕ字形の仮止め片２２が設けられている。仮止め片２２は、押圧ローラ１９と仮止め片２２の間を引き出されたテープ１１を、Ｕ字形の上部の狭い幅方向の線状の部分で軽く保持するための部材である。
【００２１】
押圧ローラ１９を含むテープ折返し部１４、切断刃１５、仮止め片２２等は、側板１３とその反対側の側面に設けられ、側板１３に対して固定された第２側板２３により両側を固定又は把持されている。
【００２２】
図４は、本実施例のテープカッタ１０の使用方法を示す側面図である。以下、（ａ）〜（ｅ）に沿って使用方法を説明する。
【００２３】
（ａ）まず、スライダ１８の先端を被接着面２４に当てる。このとき、スライダ１８はその先端から下方に突出する爪２０によってテープ１１の先端を軽く保持している。
（ｂ）テープカッタ１０を被接着面２４に向けて押してゆくと、スライダ１８はガイド穴１７を後退してゆく。このとき、テープ１１の先端は爪２０によりスライダ１８とともに後退してゆく。最後に、テープ１１の先端はスライダ１８と押圧ローラ１９の間に引き込まれ、粘着部を内側にして折り返される。こうして、両面とも粘着性のない折返し部が形成される。
なお、このスライダ１８の後退動作の間、スライダ１８の上面に設けたリブ２１がガイド穴１７の上部内面に当接することにより、スライダ１８の上下方向の動きが制御される。このリブ２１の形状（高さプロフィル）を適切に設定しておくことにより、テープ１１の先端がスライダ１８の爪２０から外れにくくすることができる。
（ｃ）さらにテープカッタ１０を被接着面２４に向けて押圧すると、テープ１１の粘着部が押圧ローラ１９により被接着面２４に押しつけられ、そこに貼付される。ここで、押圧ローラ１９を被接着面２４に押圧しつつテープカッタ１０を少し引き、貼付部をやや長く確保しておくことが望ましい。
（ｄ）テープカッタ１０を少し引き上げ、手前に引くことにより、回転可能に保持されたテープ１１が回転し、貼付部が固定されたままテープが繰り出される。
（ｅ）貼付を終了しようとする箇所でテープカッタ１０を下ろし、引き出したテープ１１の全面を被接着面２４に貼付する。そして、テープカッタ１０を前方に回転させ、切断刃１５をテープ１１に当ててテープ１１を切断する。これにより、テープ１１が被接着面２４に貼付されるとともに、その先端には剥離用つまみとなる折返し部が設けられている。
【００２４】
切断後は、貼付過程でテープ１１に押さえられて後退していたスライダ１８が前方に移動し、非貼付時の状態（図２）に戻る。スライダ１８は、テープ１１切断後のテープカッタ１０の傾きによって自重で前方に移動するが、さらに容易に移動させるためスライダ１８におもりを設けてもよく、さらには弾性部材を用いて常時前方に付勢しておく構造としてもよい。このスライダ１８が前方に移動する間、先端の爪２０は、仮止め片２２により仮止めされているテープ１１の非粘着面を滑り、最後にテープ１１の先端を超えたところで、弾性により上方に跳ね上がるテープ１１の先端を保持する。
【００２５】
上記のような手順で、本実施例のテープカッタ１０では折返し部が形成される。これを用いることで、テープ貼付の一連の動作のなかで剥離用つまみを確実に形成しながら、梱包等の作業を手早く行うことができる。
【図面の簡単な説明】
【００２６】
【図１】本発明に係るテープカッタの一実施例の折返し部形成時の状態を示す正面図（ａ）、平面図（ｂ）、側面図（ｃ）
【図２】実施例のテープカッタの非貼付時の状態を示す正面図（ａ）、平面図（ｂ）、側面図（ｃ）
【図３】実施例のテープカッタのスライダの側面図
【図４】実施例のテープカッタの一実施例の使用方法を示す側面図
【符号の説明】
【００２７】
１０…テープカッタ
１１…テープ
１２…テープ回転部
１３…側板
１４…テープ折返し部
１５…切断刃
１６…テープ把持部
１７…ガイド穴
１８…スライダ
１９…押圧ローラ
２０…爪
２１…リブ
２２…仮止め片
２３…第２側板
２４…被接着面
【図１】
0004796821.tif 000002
【図２】
0004796821.tif 000003
【図３】
0004796821.tif 000004
【図４】
0004796821.tif 000005